(57)【要約】【課題】構造を簡素にして、トラップ部の回動中における臭気漏れを抑制した便器装置を提案する。【解決手段】本発明は、ボウル部１２と、ボウル部１２に水を供給する給水路２と、上下に回動して上向きの封水状態と下向きの排水状態とに切り替わるトラップ筒５２とを備え、給水路２が、ボウル部１２の上方側から旋回流で前記水を供給して、この水で汚物の排出とボウル部１２の洗浄とトラップ部５１での封水とを行う便器装置１であって、給水路２は、トラップ筒５２が前記封水状態から下方に回動するより第１の所定時間前のときに、前記水の供給を開始し、トラップ筒５２が排水状態から上方に回動するときまたはその時期より第２の所定時間前のときに、吐水部２１からの前記水の流速を低下させる変更部４を設けた。【選択図】図１
2014134032.tif 000002
【特許請求の範囲】
【請求項１】
ボウル部と、このボウル部に水を供給する給水路と、封水状態と排水状態とに切り替わるトラップ部とを備え、このトラップ部が、上下に回動自在で前記封水状態で上向きとなり前記排水状態で下向きとなるトラップ筒を有し、前記給水路が、前記ボウル部の上方側から旋回流で前記水を供給して、この水で汚物の排出と前記ボウル部の洗浄と前記トラップ部での封水とを行う便器装置であって、
前記給水路は、前記トラップ筒が前記封水状態から下方に回動するより第１の所定時間前のときに、前記水の供給を開始し、
前記トラップ筒が前記排水状態から上方に回動するときまたはその時期より第２の所定時間前のときに、前記吐水部からの前記水の流速を低下させる変更部を設けたものであることを特徴とする便器装置。
【請求項２】
前記変更部は、前記流速の低下から第３の所定時間が経過すると、前記流速を高上させるものであることを特徴とする請求項１記載の便器装置。
【請求項３】
前記変更部は、前記給水路の流路径を変更して前記流速を可変させるものであることを特徴とする請求項１または２記載の便器装置。
【請求項４】
前記給水路は、その流路内を流れる前記水に気体を供給して混入させる混入部を有し、
前記変更部は、前記混入部からの前記気体の供給量を変更して前記流速を可変させるものであることを特徴とする請求項１または２記載の便器装置。
【発明の詳細な説明】
【技術分野】
【０００１】
本発明は、封水状態と排水状態とを切り換える便器装置に関する。
【背景技術】
【０００２】
従来の便器装置には、サイホン作用を用いた所謂サイホン式と、モータの駆動によってトラップ部を回動させて封水状態と排水状態とを切り替える所謂回動式とがある。そして、このような便器装置では、ボウル部の溜水を排出した際に、トラップ部を介してボウル部側に臭気が流入する所謂臭気漏れを生じることがある。ここで、特許文献１には、ボウル部への給水を行うリム射水孔と、トラップ排水路への給水を行うジェット用ノズルとを備える便器が開示してある。そして、この便器は、サイホン作用が切れる際に、リム射水孔とジェット用ノズルとの双方から給水を行うことで、トラップ排水路からの臭気の逆流を抑制している。
【先行技術文献】
【特許文献】
【０００３】
【特許文献１】特開平３−１７６５２３公報
【発明の概要】
【発明が解決しようとする課題】
【０００４】
しかしながら、特許文献１等の便器のように、リム射水孔とジェット用ノズル等、複数の吐水部を備える場合では、ジェット用ノズルから加圧して吐水するための加圧ポンプや、リム射水孔とジェット用ノズルに各々給水路を設けることになる。このため、従来の便器装置では、便器装置の大型化や重量増大、構造の複雑化等を生じたり、加圧ポンプの作動に伴い騒音を生じたり等の問題がある。
【０００５】
そこで、前記事情を鑑みて、本発明は、ボウル部下方の吐水部を廃して、構造を簡素に抑えて、トラップ部の回動中における臭気漏れを抑制した便器装置を提案することを課題とする。
【課題を解決するための手段】
【０００６】
前記課題を解決するために本発明は、ボウル部と、このボウル部に水を供給する給水路と、封水状態と排水状態とに切り替わるトラップ部とを備え、このトラップ部が、上下に回動自在で前記封水状態で上向きとなり前記排水状態で下向きとなるトラップ筒を有し、前記給水路が、前記ボウル部の上方側から旋回流で前記水を供給して、この水で汚物の排出と前記ボウル部の洗浄と前記トラップ部での封水とを行う便器装置であって、前記給水路は、前記トラップ筒が前記封水状態から下方に回動するより第１の所定時間前のときに、前記水の供給を開始し、前記トラップ筒が前記排水状態から上方に回動するときまたはその時期より第２の所定時間前のときに、前記吐水部からの前記水の流速を低下させる変更部を設けたものであることを特徴とする。
【０００７】
また、前記変更部は、前記流速の低下から第３の所定時間が経過すると、前記流速を高上させるものであることが好ましい。
【０００８】
また、前記変更部は、前記給水路の流路径を変更して前記流速を可変させるものであることが好ましい。
【０００９】
また、前記給水路は、その流路内を流れる前記水に気体を供給して混入させる混入部を有し、前記変更部は、前記混入部からの前記気体の供給量を変更して前記流速を可変させるものであることが好ましい。
【発明の効果】
【００１０】
本発明は、前記構成を備えたことで、トラップ部の上向きの回動中において、給水路からの水のボウル部での旋回を抑制する（旋回流を生じ難くする）ことができる。このため、本発明は、前記回動中において、給水路からの水がトラップ部に至る時間を短縮し易くすることができて、前記水をトラップ部に流入し易くすることができる。これによって、本発明は、前記回動中において、トラップ部の封水を確保し易くすることができて、前記回動中における臭気漏れを抑制し易くすることができる。
【図面の簡単な説明】
【００１１】
【図１】実施形態の便器装置の一部を切断し一部を省略した側面図を示し、（ａ）は、流速を低下させた状態であり、（ｂ）は図１（ａ）の状態から流速を高上させた状態である。
【図２】便器装置のブロック図である。
【図３】便器装置の斜視図である。
【発明を実施するための形態】
【００１２】
以下、本発明を添付図面に基づいて説明する。本実施形態の便器装置１は、使用者が着座して使用する椅子型の便器、所謂洋式便器である。便器装置１は、図３に示すように、ボウル部１２（図１参照）を有した便器本体１１と、ボウル部１２の上方に載置可能な便座（図示せず）及び便蓋９とを備える。便器本体１１は、例えばトイレルーム等の床面に固定される。また、前記便座及び便蓋９は、便器本体１１上の一端部に枢支される。
【００１３】
以下、前後方向は、利用者が便器装置１に着座した状態から見た方向で定義する。すなわち、以下の説明では、便器本体１１において、前記便座や便蓋９を連結した部分（便器本体１１上の前記一端部）から、ボウル部１２側に向かう方向を、前方として定義する。更に、以下の説明では、便器本体１１において、ボウル部１２から、前記便座や便蓋９を連結した部分（便器本体１１上の前記一端部）側に向かう方向を、後方として定義する。
【００１４】
便器本体１１は、ボウル部１２を有する外殻１３と、床面に載置・固定されるフレーム１４（図１参照）とを備える。フレーム１４には、外殻１３が取り付けられる。このため、外殻１３は、フレーム１４を介して前記床面に支持される。そして、外殻１３は、図１に示すように、ボウル部１２を有する。ボウル部１２は、上方に開口した椀状となっている。ボウル部１２の底部には、筒部１２ａが形成されている。筒部１２ａは、ボウル部１２の底部から後外方に突出しており、後方に開口する。
【００１５】
また、便器本体１１は、その内部に、図２に示すように、ボウル部１２に水を供給する給水路２と、ボウル部１２の溜水等を排出する排水路５（図１参照）と、制御部６とを備える。
【００１６】
給水路２の上流端は、便器本体１１の後部から外方に突出する。そして、この上流端は、外部の水道管（図示せず）に接続してあり、水道圧によって、この水道管から給水路２に水が流入される。給水路２の下流端は、図１に示すように、ボウル部１２の上端部に配置してあり、ボウル部１２内に臨ませて設けてある。そして、この下流端は、前記水道管から給水路２に流入した水を、ボウル部１２内に吐出する。このため、給水路２の前記下流端は、ボウル部１２に水を吐出する吐水部２１になっている。
【００１７】
吐水部２１は、例えば、給水路２に一つ設けてある。吐水部２１は、ボウル部１２に上方側（ボウル部１２の上部を含む）から平面視におけるボウル部１２の周方向（椀の周方向）に水を吐出する。このため、吐水部２１からの水は、ボウル部１２の椀状の内面（ボウル面１２ｂ）に沿って周方向に旋回しながら下方に流動する。言い換えると、給水路２は、ボウル部１２の上方側から旋回流で水を供給する。
【００１８】
また、給水路２の途中には、図２に示すように、給水路２を開閉する給水弁２２と、給水路２を流れる水に気体を混入させる混入部３とが設けてある。
【００１９】
給水路２は、給水弁２２を開成させることで、通水状態になり、給水弁２２を閉成させることで、止水状態になる。言い換えると、給水路２は、給水弁２２の開閉によって、ボウル部１２への吐水とその停止とが切り替わる。更に、給水弁２２は、開成状態（通水状態）において、その開成量を少なくとも２種類に変更自在になっている。
【００２０】
例えば、給水弁２２は、その駆動が制御部６に制御されるステッピングモータ（図示せず）と、このステッピングモータの駆動によって開閉の切替及び開成時の開成量の切替を行う弁体（図示せず）とを有する。この弁体は、前記ステッピングモータの駆動によって、所定の開成量（例えば、最大の開成量）で開成した大開成状態と、この開成量より開成量を絞った（例えば、最大値より開成量に余裕をもたせた）小開成状態とに切り替わる。そして、給水路２は、給水弁２２（前記弁体）を小開成状態にすることで、大開成状態の場合に比べて、吐水部２１からの水の流速を高上させることができる。
【００２１】
言い換えると、給水路２は、給水弁２２の位置において、その流路径を大きく変更する（給水弁２２を大開成状態にする）ことで、吐水部２１からの水の流速が低下する。そして、この低下した状態（大開成状態）から、給水路２は、給水弁２２の位置において、その流路径を小さく変更する（給水弁２２を小開成状態にする）ことで、前記流速が高上する。すなわち、給水弁２２は、給水路２を流れる水の流速を調整する調整弁を兼ねており、給水弁２２（調整弁）は、便器装置１において、吐水部２１（給水路２）からの水の流速を少なくとも２種類に変更可能とする変更部４になっている。
【００２２】
混入部３は、空気を給水路２に供給する供給路（図示せず）を備える。この供給路は、一端（第１端）が給水路２に連通しており、他の一端（第２端）が外部（給水路２外）に開口している。このため、前記供給路は、前記第２端で取り込んだ前記外部の空気を、前記第１端から給水路２に供給する。そして、前記供給路は、例えば、前記第１端側に生じる圧力変化（負圧）を用いて、前記空気を給水路２に供給しており、この圧力変化は、給水路２に水が流れることで生じる。すなわち、混入部３は、給水路２に水が流れることで、給水路２に気体を供給しており、この気体によって前記水に気泡（例えば微細気泡）を発生・混入させる、所謂（微細）気泡発生部になっている。
【００２３】
また、混入部３は、前記供給路に給気弁３２（微細気泡発生部における吸気弁）が設けてある。給気弁３２は、開成状態において、その開成量を少なくとも２種類に変更自在となっている。例えば、給気弁３２は、その駆動が制御部６に制御されるステッピングモータ（図示せず）と、このステッピングモータの駆動によって開閉の切替及び開成時の開成量の切替を行う弁体（図示せず）とを有する。
【００２４】
この弁体は、前記ステッピングモータの駆動によって、所定の開成量（例えば、最大の開成量）で開成した大開成状態と、この開成量より開成量を絞った（例えば、最大値より開成量に余裕をもたせた）小開成状態とに切り替わる。そして、混入部３は、給気弁３２（前記弁体）を小開成状態にすることで、大開成状態の場合に比べて、給水路２への空気の供給量を低減する。このため、給水路２は、給気弁３２を小開成状態にすることで、大開成状態の場合に比べて、吐水部２１からの水の流速を低下させることができる。
【００２５】
言い換えると、前記供給路は、給気弁３２の位置において、その流路径を小さく変更する（給気弁３２を小開成状態にする）ことで、給水路２における吐水部２１からの水の流速を低下させる。そして、この低下させた状態（小開成状態）から、前記供給路は、給気弁３２の位置において、その流路径を大きく変更する（給気弁３２を大開成状態にする）ことで、前記流速を高上させる。すなわち、給気弁３２は、便器装置１において、前記水の流速を少なくとも２種類に変更可能とする変更部４になっている。
【００２６】
排水路５は、図１に示すように、筒部１２ａの下流端に設けたトラップ部５１と、外部の排水管（図示せず）に接続された排出部（図示せず）とを備える。そして、排水路５は、ボウル部１２の溜水や汚物等を、筒部１２ａからトラップ部５１を介して前記排出部に流し、この排出部から前記排水管に排出する。
【００２７】
トラップ部５１は、弾性変形可能なトラップ筒５２と、トラップ筒５２の後方側の部位を収納したトラップ室５３と、トラップ筒５２の後方側の先端を上下に回動（上下動）させる駆動部５４（図２参照）とを備える。
【００２８】
トラップ筒５２は、その前方側の先端が筒部１２ａに連通接続される。また、トラップ筒５２は、その後方側の先端が駆動部５４によって上下動されることで、前記後方側の先端を上方に向けた姿勢と、前記後方側の先端を下方或いは後下方に向けた姿勢とに回動して切り替わる。
【００２９】
そして、トラップ筒５２は、前記後方側の先端を上方に向けた姿勢となることで、トラップ部５１にトラップ構造を形成する。これによって、便器装置１は、給水路２（吐水部２１）からの水をボウル部１２に貯留可能な封水状態となる。そして、便器装置１は、この封水状態において、ボウル部１２に水を貯留することで、前記排出部側の臭気等のボウル部１２側への流入（所謂臭気漏れ）を抑制することができる。
【００３０】
また、トラップ筒５２は、前記後方側の先端を下方或いは後下方に向けた姿勢となることで、この後方側の先端が排出部に連通する。これによって、便器装置１は、ボウル部１２の溜水を例えば汚物等と共に前記排出部に排出可能な排水状態となる。
【００３１】
すなわち、トラップ部５１は、トラップ筒５２の上下動（上下の回動）によって、封水状態（図１に示す状態）と排水状態とに切替可能な所謂回動式（ターントラップ方式）のトラップ装置となっている。以下の説明では、トラップ筒５２において、前記封水状態となる姿勢を、封水姿勢とし、前記排水状態となる姿勢を、排水姿勢とする。
【００３２】
駆動部５４は、その駆動が制御部６によって制御される。言い換えると、トラップ部５１は、制御部６によって封水状態と排水状態との切替（トラップ筒５２の上下動）が制御される。例えば、駆動部５４は、その駆動時に、位置検知信号を制御部６に出力しており、この位置検知信号は、例えば、トラップ筒５２の前記後方側の先端の上下における位置情報になっている。このため、制御部６は、この位置検知信号に応じて、駆動部５４の駆動やその停止、或いはこの駆動におけるトラップ筒５２の回動方向（上下の回動向き）の切替等の制御を行うことで、トラップ筒５２に封水姿勢と排水姿勢とを切り替えさせる。
【００３３】
制御部６は、図２に示すように、給水弁２２及び給気弁３２と電気的に接続してあり、給水弁２２の開閉及びその開成量の制御と、給気弁３２の開閉及びその開成量の制御と、駆動部５４の駆動（トラップ筒５２の上下回動）の制御とを行う。例えば、制御部６は、電子部品を実装した回路基板等で形成される。便器装置１は、制御部６の制御によって、変更部４を介して、吐水部２１（給水路２）からの水の流速が可変となっている。言い換えると、便器装置１は、変更部４によって、吐水部２１からの水の流速を少なくとも２種類に切替可能となっている。
【００３４】
更に、便器装置１は、前記制御に用いる経過時間を検知する検知部６１を備える。例えば、検知部６１は、その機能を制御部６が兼ねており、駆動開始（回動開始）からや給水開始から、或いは駆動動作（回動動作）毎の経過時間を測定・検知する。
【００３５】
また、便器装置１は、制御部６の制御によって、ボウル面１２ｂ等を洗浄する洗浄動作と、前記溜水等を排出する排出動作と、ボウル部１２等に前記水を溜める溜水動作とを行う。溜水動作は、例えば、排水姿勢のトラップ筒５２を上向きに回動させるときに、トラップ筒５２内や筒部１２ａ内の水も封水用の溜水として機能する等、トラップ筒５２の姿勢の影響を受け易い。このため、溜水動作は、排出動作後、或いは排出動作の後期に開始され、排出動作より後に終了する。洗浄動作は、排出動作の開始より所定時間（第１の所定時間）前に開始され、溜水動作と略同時に終了する。すなわち、便器装置１は、洗浄動作、排出動作、溜水動作の三動作を、並行して行っている。
【００３６】
以下、この三動作の詳細を説明する。なお、この三動作のうち、洗浄動作及び溜水動作は、変更部４に給水弁２２を用いる場合と、変更部４に給気弁３２を用いる場合とで一部内容が異なる。また、本実施形態では、給水弁２２と給気弁３２とのうち、いずれか一方を変更部４に用いるため、変更部４によって変更される流速を、第１速度、この第１速度に比べて遅い第２速度とする。そして、給水弁２２と給気弁３２とのうち、変更部４に用いない方は、開成時に開成量を変更させず、開閉を切り替えるものとする。
【００３７】
まずは、変更部４に給水弁２２（調整弁）を用いる場合を説明する。制御部６は、封水状態において、外部の操作部（図示せず）から排水動作を行うよう指令信号が入力されると、給水弁２２を小開成状態で開成させる制御と、給気弁３２を開成させる制御とを行い、洗浄動作を開始させる。給水弁２２は、この制御によって、小開成状態で開成し、給水路２を止水状態から通水状態に切り替える（給水路２の通水を開始する）。このため、給水路２は、ボウル部１２に第１速度で水を吐出する。そして、給気弁３２は、前記制御によって、開成し、給水路２に空気（気泡）を供給する。これによって、前記水は、気泡（例えば微細気泡）の混入した機能水となって、吐水部２１から吐出される。
【００３８】
そして、制御部６は、給水弁２２の開成から第１の所定時間経過後、駆動部５４を駆動させる制御を行い、排出動作を開始させる。駆動部５４は、この制御によって、トラップ筒５２を下方に回動させて、トラップ部５１を排水状態（トラップ筒５２を排水姿勢）に切り替える。これによって、便器装置１は、排水状態となり、溜水や給水路２からボウル部１２に供給された水等（以下、溜水等とする）が、前記排出部に排出される。このとき、便器装置１は、溜水等がトラップ筒５２に充満した状態で前記排出部に向けて流動するため、前記排出部側からボウル部１２側への臭気の流入（所謂臭気漏れ）を抑制することができる。
【００３９】
次いで、前記排水状態切替後、制御部６は、この排水状態を一定時間保持して、溜水を排出させた後（排水状態に切り替わって一定時間経過後）、駆動部５４を駆動させる制御を行い、排出動作を終了させる。駆動部５４は、この制御によって、トラップ筒５２を上方に回動させて、トラップ部５１を封水状態（トラップ筒５２を封水姿勢）に切り替える。これによって、便器装置１は、封水状態となり（封水状態に戻り）、ボウル部１２に水が貯留される。言い換えると、制御部６は、排水状態に保持する保持時間が一定時間に達すると、駆動部５４によってトラップ筒５２を上方へ回動させて、便器装置１を封水状態に戻す。
【００４０】
また、制御部６は、駆動部５４を駆動させる際（トラップ筒５２を排水姿勢から上方に回動させる際）、或いはこの際（この時期）より所定時間（第２の所定時間）前の時期に、変更部４（給水弁２２）に前記流速を低下させる制御を行う。給水弁２２は、この制御によって、小開成状態から大開成状態に切り替わる。そして、便器装置１は、この状態になることで、トラップ筒５２やボウル部１２の下部に水を流入し易くなり、溜水動作を促進する（溜水を溜め易くする）ことができる。言い換えると、便器装置１は、前記流速を、第１速度から第２速度に切り替えることで、溜水動作を促進することができる。
【００４１】
この制御によって、吐水部２１からの水は、前記流速の低下（第２速度への切替）に伴い、例えば図１（ａ）に示すように、ボウル部１２の周方向に旋回し難くなる（図中の二点鎖線矢印Ａｒ１参照）。このため、前記水は、トラップ部５１（トラップ筒５２）の上方への回動中において、前記制御を行う前の状態（第１速度の状態）に比べて、速く筒部１２ａ（下方）に流入し易くなる。これによって、便器装置１は、前記上方への回動中において、吐水部２１からの水のみで筒部１２ａやトラップ筒５２に水を溜める際に、流速を変えずに前記水を供給する場合に比べて、短時間で所望の水量を溜めることができる。言い換えると、便器装置１は、前記上方への回動中において、吐水部２１からの水のみで筒部１２ａやトラップ部５１（トラップ筒５２）を封水する際に、流速を変えずに前記水を供給する場合に比べて、筒部１２ａ等の封水を短時間で行い易くすることができる。
【００４２】
次いで、制御部６は、第２速度へ切替後、所定時間（第３の所定時間）経過すると、給水弁２２（変更部４）に前記流速を第１速度に切り替えさせる制御を行う。言い換えると、制御部６は、前記流速を低下させる制御後、第３の所定時間経過することで、給水弁２２に前記流速を高上させる（変更可能な流速が２種類の場合、元に戻す）制御を行う。給水弁２２は、この制御によって、大開成状態から小開成状態に切り替わり、給水路２は、第１速度で前記水を吐出する。このため、前記水は、例えば図１（ｂ）に示すように、第２速度で吐出（供給）された場合に比べて、ボウル部１２の周方向に旋回し易くなる（図中の二点鎖線矢印Ａｒ２参照）。これによって、前記水は、例えば、ボウル面１２ｂの吐水部２１より下方側の略全体に拡散しながら流れて、ボウル部１２の下方に至る。言い換えると、便器装置１は、第１速度で前記水を吐出することで、例えば、この水によってボウル面１２ｂの前記下方側の略全体を洗浄することができる。
【００４３】
更に、制御部６は、例えば給水弁２２の開成時間や給水路２の通水量等の条件値が設定値に達すると、給水弁２２を閉成させる制御を行う。給水弁２２は、この制御によって、給水路２を止水状態に切り替える（給水路２の通水を停止する）。これによって、便器装置１は、前記設定値に応じた一定量の水がボウル部１２に貯留されて、溜水動作及び洗浄動作が終了となる。
【００４４】
次に、変更部４に給気弁３２を用いる場合を説明する。なお、変更部４に給水弁２２を用いる場合と重複する説明は省略し、差異点を主に説明する。
【００４５】
まず、制御部６は、洗浄動作の開始時に、給水弁２２を開成させる制御と、給気弁３２を大開成状態で開成させる制御とを行い、洗浄動作を開始させる。給水路２は、この制御によって、給水弁２２が開成して、通水を開始する。給気弁３２は、前記制御によって、大開成状態で開成し、給水路２を流れる前記水に気泡を混入させる。そして、給気弁３２が大開成状態で開成するため、給水路２は、ボウル部１２に第１速度で前記水を吐出する。これによって、便器装置１は、ボウル部１２に前記水が供給されて、前記排出部に排出される。
【００４６】
また、制御部６は、トラップ筒５２を排水姿勢から上方に回動させる際（時期）、或いはこの際より第２の所定時間前の時期に、給気弁３２に小開成状態に切り替えさせる制御を行う。すなわち、溜水動作の開始時に、制御部６は、給気弁３２に前記流速を低下させる制御を行う。給気弁３２は、この制御によって、大開成状態から小開成状態に切り替わる。このため、前記水は、第２速度でボウル部１２に吐出される。これによって、便器装置１は、トラップ筒５２の上方への回動中において、吐水部２１からの水のみで筒部１２ａやトラップ筒５２を封水する際に、例えば第１速度のみ等の流速を変えずに前記水を供給する場合に比べて、筒部１２ａ等の封水を短時間で行うことができる。
【００４７】
次いで、制御部６は、第２速度へ切替後、第３の所定時間経過すると、給気弁３２（変更部４）に流速を第１速度（小開成状態）に切り替えさせる制御を行う。言い換えると、制御部６は、溜水動作開始後、第３の所定時間経過することで、給気弁３２に前記流速を高上させる（変更可能な流速が２種類の場合、元に戻す）制御を行う。給気弁３２は、この制御によって、小開成状態から大開成状態に切り替わり、給水路２は、溜水動作及び洗浄動作終了まで、第１速度で前記水を吐出する。
【００４８】
このように、便器装置１は、吐水部２１がボウル部１２上方に設けてあり、トラップ筒５２が封水状態から下方に回動するより第１の所定時間前のときに、吐水部２１からの水の供給を開始する。そして、便器装置１は、この供給した水を、前記溜水やボウル部１２で受けた汚物等の排出と、ボウル面１２ｂ等の洗浄と、トラップ部５１等での封水とに用いる。言い換えると、便器装置１は、吐水部２１でボウル部１２上方から水を供給することで、前記溜水等の前記排出と、ボウル部１２等の前記洗浄と、トラップ部５１等の前記封水とを行う。このため、便器装置１は、ボウル部１２の上方とボウル部１２の下方等の複数の吐水部２１を設けた場合に比べて、便器本体１１の内部構造を簡素化したり、便器装置１の大型化を抑制したりすることができる。
【００４９】
そして、便器装置１は、前記排出動作後、或いはこの排出動作の後期を含む、ボウル部１２等への溜水動作時において、排出動作の少なくとも前期（排出動作の前記後期より前）に比べて、吐水部２１からの水の流速を低下させた後、その流速を高上させる。このため、便器装置１は、前記上向きの回動中の少なくともその前期において、前記水のボウル部１２での旋回を抑制して、前記水をトラップ部５１に短時間で至り易くすることができる。これによって、便器装置１は、前記回動中において、従来の便器装置１に比べて短時間で、トラップ部５１の封水を確保し易くすることができて、前記回動中における臭気漏れを抑制し易くすることができる。
【００５０】
更に、便器装置１は、吐水部２１からの水を旋回流でボウル部１２に供給する（ボウル面１２ｂに旋回させる）ことで、ボウル面１２ｂの洗浄を行っている。そして、便器装置１は、第３の所定時間経過後に前記流速を高上させる（戻す）ため、前記流速を低下させた状態に比べて、前記水をボウル部１２の周方向に旋回させ易くすることができる。言い換えると、便器装置１は、低下させた前記流速を高上させる（戻す）ことで、前記流速低下に伴い低下したボウル部１２に対する洗浄性能を向上させる（従来と同程度に回復させる）ことができる。これによって、便器装置１は、前記洗浄性能を確保し易くすることができて、ボウル面１２ｂの汚れの残留等の発生を抑制することができる。
【００５１】
なお、前記第２の所定時間は、例えば、トラップ筒５２の下方への回動完了時（駆動部５４の駆動停止時）を含む、排水状態における所定の時期となるよう設定することが好ましい。この場合では、排出動作、及び排出動作中に行われる洗浄動作の前期において、排出動作及び洗浄動作への前記流速の低下の影響を軽減し易くすることができる。そして、便器装置１は、洗浄動作の前期において、この前期の洗浄動作によって洗浄されたボウル面１２ｂの汚れ等を、前記排出部から排出し易くすることができる。
【００５２】
また、前記第３の所定時間は、例えば、筒部１２ａやトラップ部５１に封水が確保される（封水が形成される）時期（封水確保時）となるよう設定することが好ましい。この場合では、良好な前記洗浄性能を保持して、給水時間（給水路２の通水時間）を最小限に抑え易くすることができる。更に、前記封水確保時とは、例えば、給水路２の通水量や駆動部５４の駆動量（トラップ筒５２の姿勢）等に応じて決定されており、給水弁２２を閉成させる時間より前であれば、トラップ部５１の上方への回動中であってもよく、トラップ部５１の回動完了時であってもよい。
【００５３】
また、便器装置１は、給水弁２２と給気弁３２との両方を変更部４として用いて、両方の開成量を変更させて、前記水の流速を可変としたものであってもよい。また、便器装置１は、例えば、排出動作開始時の流速と、溜水動作開始時の流速と、前記第３の所定時間経過時の流速が夫々異なるもの等の、変更部４で変更可能な流速が３種類以上であってもよい。
【００５４】
また、便器装置１は、混入部３を備えないものであってもよく、この場合、給水弁２２で前記流速を変更するものとなる。また、給水弁２２は、給水路２において、吐水部２１近傍に設けることが好ましい。この場合では、吐水部２１からの吐水時に、給水弁２２で変更した流速を維持し易くすることができる。また、便器装置１は、給水弁２２が調整弁を兼ねないもの（給水路２の開閉のみを行うもの）であってもよい。この場合、便器装置１は、給気弁３２を変更部４に用いるものや、変更部４としての調整弁を給水弁２２とは別に備えこの調整弁を給水路２の吐水部２１近傍に設けたもの等となる。
【００５５】
また、本発明は、前述した実施形態の構成のみに限定されるものではなく、本発明の意図する範囲内であれば、適宜の設計変更を行うことが可能である。
【符号の説明】
【００５６】
１  便器装置
１２  ボウル部
１２ｂ  ボウル面
２  給水路
２１  吐水部
２２  給水弁
３  混入部
３２  給気弁
４  変更部
５１  トラップ部
５２  トラップ筒
５４  駆動部
６  制御部
６１  検知部
【図１】
2014134032.tif 000003
【図２】
2014134032.tif 000004
【図３】
2014134032.tif 000005